(57)【特許請求の範囲】
【請求項１】
再生装置と記録装置とを有する音楽再生システムであって、
前記記録装置は、
音楽データおよび該音楽データを特定する音楽データ特定情報を含む音楽情報を複数記憶する第１のデータ記憶手段と、
前記第１のデータ記憶手段から前記音楽データ特定情報を含む一部の前記音楽情報を抽出し、抽出された前記一部の音楽情報を着脱可能な情報記録手段に書き込む情報書き込み手段と、
前記音楽データ特定情報を含む制御データを前記再生装置から取得する制御データ取得手段と、
前記取得した制御データに基づいて、前記第１のデータ記憶手段に記憶された複数の前記音楽情報から特定の前記音楽データを選択する選択手段と、
前記選択手段により選択された前記音楽データを前記再生装置に出力するデータ出力手段と、を備え、
前記再生装置は、
前記データ出力手段から出力された前記音楽データを取得するデータ取得手段と、
前記情報書き込み手段により前記一部の音楽情報が書き込まれた前記情報記録手段から前記一部の音楽情報を読み出す情報読み出し手段と、
読み出された前記一部の音楽情報に含まれる前記音楽データ特定情報を含む前記制御データを前記記録装置へ出力する制御データ出力手段と、
取得した前記音楽データを音楽信号として出力する音楽出力手段と、を備える音楽再生システム。
【請求項２】
前記記録装置は、
前記音楽データを符号化する符号化手段をさらに備え、
前記音楽情報は、前記符号化手段により符号化された音楽データと前記音楽データ特定情報とを含み、
前記選択手段は、前記取得した制御データに基づいて、特定の前記符号化された音楽データを選択し、
前記データ出力手段は、選択された前記符号化された音楽データを出力し、
前記再生装置は、
取得した符号化された音楽データを復号化する復号化手段をさらに備え、
前記データ取得手段は、前記符号化された音楽データを取得して前記復号化手段に与えるものであり、
前記復号化手段は、前記情報読み出し手段により読み出された前記一部の音楽情報に含まれる前記音楽データ特定情報が特定する音楽データを復号し、
前記音楽出力手段は、復号された音楽データを音楽信号として出力する
ことを特徴とする請求項１に記載の音楽再生システム。
【請求項３】
前記符号化手段は、複数の前記音楽データに対して異なる符号化方式で符号化する
ことを特徴とする請求項２に記載の音楽再生システム。
【請求項４】
前記符号化方式には圧縮符号化方式を含む
ことを特徴とする請求項２に記載の音楽再生システム。
【請求項５】
前記情報記録手段に記録される前記一部の音楽情報は、前記符号化された音楽データの符号化方式の情報を含み、
前記復号化手段は、前記符号化方式の情報に基づいて、前記音楽データを復号する
ことを特徴とする請求項２に記載の音楽再生システム。
【請求項６】
前記記録装置は、
前記第１のデータ記憶手段に記録されている前記音楽情報から音楽を再生する再生手段をさらに備え、
前記第１のデータ記憶手段は、着脱可能な記録媒体であり、
前記選択手段は、前記再生手段で再生する音楽に対応する前記音楽データを選択し、
前記情報書き込み手段は、前記再生手段で再生する音楽に対応する前記音楽情報の前記音楽データ特定情報を含む一部を抽出し、前記情報記録手段に書き込む
ことを特徴とする請求項１に記載の音楽再生システム。
【請求項７】
前記再生装置は、
取得した前記音楽データを記憶する第２のデータ記憶手段をさらに備える
ことを特徴とする請求項１に記載の音楽再生システム。
【請求項８】
前記記録装置は、
前記第１のデータ記憶手段に記憶された前記音楽情報の編集を行う編集手段をさらに備える
ことを特徴とする請求項１に記載の音楽再生システム。
【請求項９】
前記編集手段は、前記音楽情報に含まれる前記音楽データおよび／または前記音楽データ特定情報の、記録位置および／もしくは記録内容を変更する
ことを特徴とする請求項８に記載の音楽再生システム。
【請求項１０】
前記情報書き込み手段は、選択された前記音楽データの前記データ出力手段による出力を制御するためのセキュリティ情報をさらに前記情報記録手段に書き込み、
前記情報読み出し手段は、前記情報記録手段から前記セキュリティ情報をさらに読み出し、
前記制御データ出力手段は、前記音楽データ特定情報と前記セキュリティ情報とを含む前記制御データを出力し、
前記制御データ取得手段は、
前記制御データ出力手段から取得した前記制御データに含まれる前記セキュリティ情報が予め認知された情報であるか否かに基づいて、前記音楽データ特定情報が特定する前記音楽データの出力を許可するか否かを判定し、
前記データ出力手段は、
前記制御データ取得手段の判定により、前記音楽データの出力が許可される場合には、前記音楽データを出力し、
前記制御データ取得手段の判定により、前記音楽データの出力が許可されない場合には、前記音楽データを出力しない
ことを特徴とする請求項１に記載の音楽再生システム。
【請求項１１】
前記再生装置は、
前記音楽出力手段により音楽信号として出力される前記音楽データを特定する前記音楽データ特定情報を外部に表示する制御手段を
さらに備える請求項１に記載の音楽再生システム。
【請求項１２】
前記情報書き込み手段により前記情報記録手段に書き込まれる前記一部の音楽情報は、前記音楽データの一部をさらに含み、
前記音楽出力手段は、読み出された前記一部の音楽情報に含まれる前記一部の音楽データと前記データ取得手段により取得した前記音楽データとを融合して音楽信号として出力する
ことを特徴とする請求項１に記載の音楽再生システム。
【請求項１３】
前記制御データは、前記音楽データを再生する順序を示す再生順序情報をさらに含む
ことを特徴とする請求項１から請求項１２のいずれか一項に記載の音楽再生システム。
【請求項１４】
前記制御データは、有線または無線を介して出力および取得される
ことを特徴とする請求項１から請求項１２のいずれか一項に記載の音楽再生システム。
【発明の詳細な説明】
【０００１】
【発明の属する技術分野】
本発明は、携帯型の再生装置を用いて多数の音楽を記録再生できる音楽再生システムに関する。
【０００２】
【従来の技術】
従来の音楽再生システムとして、ＣＤプレーヤなどを使用してオーディオ信号をカセットテープに記録し、携帯型のヘッドホンステレオ又は車載用オーディオ再生器を用いて音楽を再生するものがある。
【０００３】
【発明が解決しようとする課題】
しかしながら、上記の音楽再生システムによれば、カセットテープに記録されている音楽のみしか再生することができないため、多くの音楽ソースを１個のカセットテープに記録しきれない場合は、複数のカセットテープを用いる必要がある。また予めカセットテープに記録されていない音楽は聞くことができないというという問題があった。
【０００４】
本発明は、このような従来の問題点に鑑みてなされたものであって、音楽データをカセットテープのような記録容量が制限されたディバイスに記録することなく、携帯型の再生装置を用いて場所や時間並びにディバイスの記録容量に限定されることなく音楽を聴くことができる音楽再生システムを実現することを目的とする。
【０００５】
【課題を解決するための手段】
この課題を解決するために、本発明の音楽再生システムは、再生装置と記録装置とを有する音楽再生システムであって、前記記録装置は、音楽データおよび該音楽データを特定する音楽データ特定情報を含む音楽情報を複数記憶する第１のデータ記憶手段と、前記第１のデータ記憶手段から前記音楽データ特定情報を含む一部の前記音楽情報を抽出し、抽出された前記一部の音楽情報を着脱可能な情報記録手段に書き込む情報書き込み手段と、前記音楽データ特定情報を含む制御データを前記再生装置から取得する制御データ取得手段と、前記取得した制御データに基づいて、前記第１のデータ記憶手段に記憶された複数の前記音楽情報から特定の前記音楽データを選択する選択手段と、前記選択手段により選択された前記音楽データを前記再生装置に出力するデータ出力手段と、を備え、前記再生装置は、前記データ出力手段から出力された前記音楽データを取得するデータ取得手段と、前記情報書き込み手段により前記一部の音楽情報が書き込まれた前記情報記録手段から前記一部の音楽情報を読み出す情報読み出し手段と、読み出された前記一部の音楽情報に含まれる前記音楽データ特定情報を含む前記制御データを前記記録装置へ出力する制御データ出力手段と、取得した前記音楽データを音楽信号として出力する音楽出力手段と、を備えるものである。
【０００６】
ここで前記記録装置は、前記記録装置は、前記音楽データを符号化する符号化手段をさらに備え、前記音楽情報は、前記符号化手段により符号化された音楽データと前記音楽データ特定情報とを含み、前記選択手段は、前記取得した制御データに基づいて、特定の前記符号化された音楽データを選択し、前記データ出力手段は、選択された前記符号化された音楽データを出力し、前記再生装置は、取得した符号化された音楽データを復号化する復号化手段をさらに備え、前記データ取得手段は、前記符号化された音楽データを取得して前記復号化手段に与えるものであり、前記復号化手段は、前記情報読み出し手段により読み出された前記一部の音楽情報に含まれる前記音楽データ特定情報が特定する音楽データを復号し、前記音楽出力手段は、復号された音楽データを音楽信号として出力するようにしてもよい。
【０００７】
ここで前記符号化手段は、複数の前記音楽データに対して異なる符号化方式で符号化するようにしてもよい。
【０００８】
ここで前記符号化方式には圧縮符号化方式を含むようにしてもよい。
【０００９】
ここで前記情報記録手段に記録される前記一部の音楽情報は、前記符号化された音楽データの符号化方式の情報を含み、前記復号化手段は、前記符号化方式の情報に基づいて、前記音楽データを復号するようにしてもよい。
【００１０】
ここで前記記録装置は、前記第１のデータ記憶手段に記録されている前記音楽情報から音楽を再生する再生手段をさらに備え、前記第１のデータ記憶手段は、着脱可能な記録媒体であり、前記選択手段は、前記再生手段で再生する音楽に対応する前記音楽データを選択し、前記情報書き込み手段は、前記再生手段で再生する音楽に対応する前記音楽情報の前記音楽データ特定情報を含む一部を抽出し、前記情報記録手段に書き込むようにしてもよい。
【００１１】
ここで前記再生装置は、取得した前記音楽データを記憶する第２のデータ記憶手段をさらに備えるようにしてもよい。
【００１２】
ここで前記記録装置は、前記第１のデータ記憶手段に記憶された前記音楽情報の編集を行う編集手段をさらに備えるようにしてもよい。
【００１３】
ここで前記編集手段は、前記音楽情報に含まれる前記音楽データおよび／または前記音楽データ特定情報の、記録位置および／もしくは記録内容を変更するようにしてもよい。
【００１４】
ここで前記情報書き込み手段は、前記情報書き込み手段は、選択された前記音楽データの前記データ出力手段による出力を制御するためのセキュリティ情報をさらに前記情報記録手段に書き込み、前記情報読み出し手段は、前記情報記録手段から前記セキュリティ情報をさらに読み出し、前記制御データ出力手段は、前記音楽データ特定情報と前記セキュリティ情報とを含む前記制御データを出力し、前記制御データ取得手段は、前記制御データ出力手段から取得した前記制御データに含まれる前記セキュリティ情報が予め認知された情報であるか否かに基づいて、前記音楽データ特定情報が特定する前記音楽データの出力を許可するか否かを判定し、前記データ出力手段は、前記制御データ取得手段の判定により、前記音楽データの出力が許可される場合には、前記音楽データを出力し、前記制御データ取得手段の判定により、前記音楽データの出力が許可されない場合には、前記音楽データを出力しないようにしてもよい。
【００１５】
ここで前記再生装置は、前記音楽出力手段により音楽信号として出力される前記音楽データを特定する前記音楽データ特定情報を外部に表示する制御手段をさらに備えるようにしてもよい。
【００１６】
ここで前記情報書き込み手段により前記情報記録手段に書き込まれる前記一部の音楽情報は、前記音楽データの一部をさらに含み、前記音楽出力手段は、読み出された前記一部の音楽情報に含まれる前記一部の音楽データと前記データ取得手段により取得した前記音楽データとを融合して音楽信号として出力するようにしてもよい。
【００１７】
ここで前記制御データは、前記音楽データを再生する順序を示す再生順序情報をさらに含むようにしてもよい。
【００１８】
ここで前記制御データは、有線または無線を介して出力および取得されるようにしてもよい。
【００２７】
【発明の実施の形態】
以下、図面を参照しながら本発明の各実施の形態における音楽再生システムについて説明する。
（実施の形態１）
図１は本発明の実施の形態１における音楽再生システムの構成図である。この音楽再生システムは、記録装置Ｒ１と再生装置Ｐ１とにより構成される。記録装置Ｒ１は、第１のデータ記憶回路２、情報書き込み回路３、情報記録器４、選択回路５、データ出力回路６、制御データ取得回路１１、第１の制御回路１２を含んで構成されるもので、例えばホームサーバでその機能が実現される。また再生装置Ｐ１は、情報記録器４、データ取得回路７、音楽出力回路８、第２の制御回路９、制御データ出力回路１０を含んで構成されるもので、例えばモーバイル端末でその機能が実現される。再生装置Ｐ１は無線又は有線による伝送媒体（通信インフラ）により、記録装置Ｒ１をアクセスすることができる。
【００２８】
第１のデータ記憶回路２は、端子１を介してＣＤ等からの音楽データが入力されたとき、複数の楽曲（音楽）の音楽データと、それらの音楽のタイトルを含めた音楽情報を記憶する第１のデータ記憶手段である。情報書き込み回路３は、第１のデータ記憶回路２に記憶された音楽のタイトルを情報記録器４に書き込む情報書き込み手段である。情報記録器４は記録装置ＲＩ及び再生装置Ｐ１に対して着脱可能な不揮発性の記憶媒体であり、音楽タイトルを含む所定の音楽情報を記録再生する情報記録手段である。情報記録器４として、ＥＥＰＲＯＭ（フラッシュメモリ）で構成される小型のカードメモリがある。
【００２９】
選択回路５は第１のデータ記憶回路２に記憶された音楽情報から特定の音楽情報を選択してデータ出力回路６に与える選択手段である。データ出力回路６は選択回路５により選択された音楽情報を、有線又は無線で外部、即ち再生装置Ｐ１に対して出力するデータ出力手段である。制御データ取得回路１１は、所定の制御データを有線又は無線で再生装置Ｐ１から取得する制御データ取得手段である。第１の制御回路１２は、制御データ取得回路１１により取得された制御データに基づいて、選択回路５に対して所定の制御を行う第１の制御手段である。
【００３０】
データ取得回路７は、データ出力回路６から出力された音楽情報を有線又は無線を介して受け取るデータ取得手段である。音楽出力回路８はデータ取得回路７により受け取った音楽データを音として出力する音楽出力手段である。第２の制御回路９は受聴者の指示に基づき情報記録器４に記録された音楽タイトルを読み出し、受聴者が選択した音楽タイトルに従って制御データ出力回路１０に対して所定の制御を行う第２の制御手段である。制御データ出力回路１０は音楽タイトルを含む制御データを有線又は無線で外部、即ち記録装置Ｒ１に対して出力する制御データ出力手段である。
【００３１】
このような構成の記録装置Ｒ１は例えば家庭に設置されるものとし、再生装置Ｐ１は携帯されるものか、又は車載用のものとする。
【００３２】
次に本実施の形態における音楽再生システムの動作例について説明する。端子１を介して入力された楽曲の音楽データ及びタイトルは音楽情報として第１のデータ記憶回路２に記憶される。第１のデータ記憶回路２は例えばＨＤＤで構成され、カセットテープより多くの音楽情報を複数組み記憶できる。ここで記憶された音楽タイトルは、情報書き込み回路３により情報記録器４に書込まれる。情報記録器４はこの音楽タイトルを蓄積的に記憶でき、また情報書き込み回路３により消去も可能である。
【００３３】
この情報記録器４が記録装置Ｒ１から取り外され、別の場所にある再生装置Ｐ１に取り付けられるとする。第２の制御回路９は受聴者の指示に基づき情報記録器４に記憶されている音楽タイトルを読み取る。ここで読み出された複数の音楽タイトルのうち、特定の音楽タイトルが受聴者により選択される。音楽タイトルとその再生順序等を含む制御データは制御データ出力回路１０を介して、無線で外部に出力される。記録装置Ｒ１内の制御データ取得回路１１はこの音楽タイトルを含む制御データを受け取り、第１の制御回路１２を介して選択回路５を制御する。選択回路５は、音楽タイトルと選曲順序に対応して所望の音楽データを第１のデータ記憶回路２から選択して読み出し、その音楽データをデータ出力回路６に与える。データ出力回路６は音楽データを有線又は無線で外部に出力する。外部に出力された音楽データは、再生装置Ｐ１内のデータ取得回路７で受け取られ、音楽出力回路８により音として出力される。
【００３４】
なお、第２の制御回路９は、情報記録器４に記憶されている音楽タイトルを受聴者に見える形で表示することもできる。また、情報記録器４は音楽タイトルのみを記憶するとしたが、これを再生する時間を音楽タイトルと組で記憶することもできる。この場合、第２の制御回路９でこれらの音楽タイトルと再生時間を読み出し、再生時間に従って音楽タイトルを制御データ出力回路１０より出力することにより、再生するタイミングを制御することも可能となる。
【００３５】
本実施の形態によれば、音楽の受聴者は、車載用又は携帯用の再生装置から聴きたい音楽タイトルを送信するだけで、場所や時間並びにディバイスの記録容量に限定されることなく、希望の音楽を聴くことができる。また受聴者が受聴する予定の楽曲のみを限定して受聴者自身が送信側で多数曲記録できるので、携帯用の再生装置の選曲範囲を大幅に増加することができる。
【００３６】
（実施の形態２）
図２は本発明の実施の形態２における音楽再生システムの構成図である。なお、図１に示される構成要素と同一の構成要素には同一の参照番号を付し、それらの機能説明と動作説明とを省略する。この音楽再生システムは、記録装置Ｒ２と再生装置Ｐ２とにより構成される。記録装置Ｒ２は、符号化回路１３、第１のデータ記憶回路２、情報書き込み回路３ａ、情報記録器４ａ、選択回路５、データ出力回路６、制御データ取得回路１１、第１の制御回路１２を含んで構成される。また再生装置Ｐ２は、データ取得回路７、復号回路１４、音楽出力回路８、情報記録器４ａ、第２の制御回路９ａ、制御データ出力回路１０を含んで構成される。
【００３７】
符号化回路１３は端子１を介して入力された楽曲の音楽データを所定の符号化方式に基づいて圧縮符号化し、符号化音楽データを生成する符号化手段である。符号化方式には複数種類があり、圧縮率を優先したもの、インターネット用のもの、ＭＰＥＧに準拠したもの、プライベートブランドのもの等がある。符号化音楽データと音楽タイトルとは符号化音楽情報として出力される。第１のデータ記憶回路２は符号化回路１３により出力された符号化音楽情報を記憶する第１のデータ記憶手段である。情報書き込み回路３ａは、音楽データの符号化方式や音楽タイトルを情報記録器４ａに書き込む情報書き込み手段である。この場合の情報は符号化されない。
【００３８】
再生装置Ｐ２における第２の制御回路９ａは、受聴者の指示に基づいて情報記録器４ａに記憶された符号化方式と音楽タイトルとを読み出し、復号回路１４に符号化方式の情報を与えると共に、音楽タイトルと再生順序を含む制御データを制御データ出力回路１０に与える第２の制御手段である。復号回路１４は第２の制御回路９ａから出力された符号化方式の情報に従って、データ取得回路７から出力される符号化音楽データの復号を行い、ＰＣＭの音楽データを音楽出力回路８に出力する復号手段である。制御データ出力回路１０は外部に無線で音楽タイトルを含む制御データを送信する。
【００３９】
このような構成の記録装置Ｒ２は例えば家庭に設置される装置とし、再生装置Ｐ２は携帯される装置、又は車載される装置とする。
【００４０】
次に本実施の形態における音楽再生システムの動作例について説明する。ＣＤ等により再生された音楽データは、端子１を介して符号化回路１３に入力される。符号化回路１３は、入力された音楽データをより少ないデータ量に圧縮するために所定の符号化方式で符号化を行う。この符号化回路１３で圧縮された符号化音楽データと音楽タイトルとは第１のデータ記憶回路２に記憶される。この第１のデータ記憶回路２に記憶された音楽タイトルと、符号化回路１３で符号化された符号化方式に関する情報とが組として与えられると、情報書き込み回路３ａは情報記録器４ａにそれらの情報を書き込む。
【００４１】
着脱可能な情報記録器４ａが記録装置Ｒ２から取り外されて、別の場所にある再生装置Ｐ２に取り付けられるとする。第２の制御回路９ａは、受聴者の指示に基づいて情報記録器４ａに記憶されている音楽タイトルと符号化方式に関する情報とを読み出す。制御データ出力回路１０は、読み出された音楽タイトルと、受聴者が指示した再生順序の情報を制御データとして有線又は無線で外部に出力する。そして送信された音楽タイトルを含む制御データは、制御データ取得回路１１により受け取られる。第１の制御回路１２は受信した音楽タイトルに対応した符号化音楽データを第１のデータ記憶回路２より選択するよう、選択回路５を制御する。選択回路５は第１のデータ記憶回路２より所望の楽曲における符号化音楽データを選択してデータ出力回路６に与える。データ出力回路６は有線又は無線で符号化音楽データを外部に送信する。
【００４２】
外部に出力された符号化音楽データは再生順序に従って再生装置Ｐ２内のデータ取得回路７により受け取られる。復号回路１４は符号化音楽データを圧縮される前の音楽データに復号する。このとき復号回路１４は第２の制御回路９ａより指示された符号化方式に関する情報に基づいて復号を行う。
【００４３】
ここでは、情報記録器４ａに対して、符号化回路１３における符号化方式に関する情報を音楽タイトルと組で記憶するとしたが、符号化回路１３における符号化方式が固定である場合は、符号化方式に関する情報を書込む必要はない。またこの場合、第２の制御回路９ａは符号化方式に関する情報を復号回路１４に与える必要はない。
【００４４】
なお、符号化回路１３は、音楽データを複数曲分受け取り、それらの音楽データを一括して圧縮符号化する方式も取りうる。その場合、復号回路１４も一括して音楽データを復号するものとする。また、符号化回路１３は、入力された音楽データを複数の符号化方式で一旦圧縮し、それらのうちデータ量が最も少なくなる符号化方式を最終的に使用する方式も取りうる。
【００４５】
本実施の形態によれば、音楽の受聴者は、携帯用の再生装置から聴きたい音楽タイトルを送信するだけで、場所や時間並びにディバイスの記録容量に限定されることなく、希望の音楽を聴くことができる。また受聴者が受聴する予定の楽曲のみを限定して受聴者自身が送信側で多数曲記録できるので、携帯用の再生装置の選曲範囲が大幅に増加させることができる。更に記録装置と再生装置間のデータ伝送を行う伝送媒体において、そのデータ転送レートがリアルタイム再生時の音楽ＰＣＭデータのビットレートより高い場合でも、符号化によりデータを圧縮することにより、音楽データのリアルタイム再生が可能となる。
【００４６】
（実施の形態３）
図３は本発明の実施の形態３における音楽再生システムの構成図である。なお、図１に示される構成要素と同一の構成要素には同一の参照番号を付し、それらの説明は省略する。この音楽再生システムは、記録装置Ｒ３と再生装置Ｐ３とにより構成される。記録装置Ｒ３は、音楽再生器１５、情報書き込み回路３ｂ、情報記録器４、データ出力回路６、制御データ取得回路１１、第１の制御回路１２ａ、音楽選択回路１６を含んで構成される。また再生装置Ｐ３は、情報記録器４、データ取得回路７、音楽出力回路８、第２の制御回路９、制御データ出力回路１０を含んで構成される。
【００４７】
記録装置Ｒ３における音楽再生器１５は、複数のＣＤ等を搭載でき、これらのディスク状媒体から所望のアルバム又はタイトルを選曲して音楽を再生する再生手段である。情報書き込み回路３ｂは、音楽再生器１５で再生できる楽曲の音楽タイトルを情報記録器４に書き込む情報書き込み手段である。音楽再生器１５から音楽タイトルが直接出力されない場合は、夫々のＣＤにおける楽曲番号と再生時間の情報でもよい。この場合、記録装置Ｒ３の利用者が楽曲番号に合わせて音楽タイトルを直接情報記録器４に書き込む。
【００４８】
音楽選択回路１６は、音楽再生器１５で再生すべき音楽を選択する音楽選択手段である。データ出力回路６は、音楽再生器１５により再生された音楽データを、有線又は無線で外部に出力するデータ出力手段である。第１の制御回路１２ａは、制御データ取得回路１１により取得された制御データに基づいて、所定の制御を行う指示を音楽選択手段１６に与える第１の制御手段である。
【００４９】
再生装置Ｐ３の内部構成は、図１に示す再生装置Ｐ１と同一である。以上のような構成の記録装置Ｒ３は例えば家庭に設置される装置とし、再生装置Ｐ３は携帯される装置、又は車載される装置とする。
【００５０】
次に本実施の形態における音楽再生システムの動作例について説明する。音楽再生器１５は複数の音楽ソースを有している。情報書き込み回路３ｂは音楽再生器１５における複数の音楽ソースの音楽タイトル又は楽曲名に準じた情報を抽出し、情報記録器４に書き込む。そして着脱可能な情報記録器４が記録装置Ｒ３から取り外され、再生装置Ｐ３に取り付けられたとする。
【００５１】
情報記録器４が第２の制御回路９に接続されると、受聴者の指示に基づき記憶されている音楽データが指示通りの再生順序で読み出される。制御データ出力回路１０は音楽タイトルを含む制御データを有線又は無線で外部に送信する。この音楽タイトルを含む制御データは制御データ取得回路１１により受信され、第１の制御回路１２ａに与えられる。第１の制御回路１２ａは音楽選択回路１６を制御して、音楽再生器１５において指定された楽曲を含むＣＤを再生するよう指示を出す。再生された楽曲の音楽データはデータ出力回路６により有線又は無線で外部に送信される。送信された音楽データはデータ取得回路７により受け取られ、音楽出力回路８により音として出力される。
【００５２】
本実施の形態によれば、音楽の受聴者は、車載用又は携帯用の再生装置から聴きたい楽曲の音楽タイトルを送信するだけで、場所や時間並びにディバイスの記録容量に限定されることなく、希望の音楽を聴くことができる。また利用者が受聴する予定の楽曲が記録されたＣＤを、音楽再生器１５に対して複数枚セットすることにより、携帯用の再生装置での選曲可能範囲を複数枚のＣＤ分に拡大することができる。
【００５３】
（実施の形態４）
図４は本発明の実施の形態４における音楽再生システムの構成図である。なお、図１に示される構成要素と同一の構成要素には同一の参照番号を付し、それらの説明は省略する。この音楽再生システムは、記録装置Ｒ１と再生装置Ｐ４とにより構成される。記録装置Ｒ１は図１に示すものと同様に、第１のデータ記憶回路２、情報書き込み回路３、情報記録器４、選択回路５、データ出力回路６、制御データ取得回路１１、第１の制御回路１２を含んで構成される。また再生装置Ｐ４は、データ取得回路７、第２のデータ記憶回路１７、音楽出力回路８、情報記録器４、第２の制御回路９ｂ、制御データ出力回路１０を含んで構成される。
【００５４】
第２のデータ記憶回路１７はデータ取得回路７により取得された音楽データを楽曲単位又はその一部を記憶する第２のデータ記憶手段であり、第２の制御回路９ｂが指示する音楽タイトルに対応して、記憶している楽曲の音楽データを再生クロックに同期して音楽出力回路８に出力するものである。第２の制御回路９ｂは情報記録器４に書込まれた音楽タイトルを読み出し、音楽タイトルの情報を制御データ出力回路１０と第２のデータ記憶回路１７とに与える第２の制御手段である。
【００５５】
このような構成の記録装置Ｒ１は例えば家庭に設置される装置とし、再生装置Ｐ４は携帯される装置、又は車載される装置とする。
【００５６】
次に本実施の形態における音楽再生システムの動作例について説明する。第１のデータ記憶回路２に記憶された複数の音楽データのタイトルが、情報書き込み回路３により情報記録器４に書き込まれる。着脱可能な情報記録器４は記録装置Ｒ１から取り外されて、別の場所にある再生装置Ｐ４に取り付けられるとする。再生装置Ｐ４内の第２の制御回路９ｂは、情報記録器４に記憶されている音楽タイトルを読み出す。読み出された音楽タイトルのデータは制御データ出力回路１０と第２のデータ記憶回路１７に与えられる。制御データ出力回路１０は音楽タイトルを含む制御データを有線又は無線で外部に出力する。
【００５７】
第２のデータ記憶回路１７はデータ取得回路７で取得された音楽データを記憶又は一時保存する。第２の制御回路９ｂは、情報記録器４から読み込んだ音楽タイトルを第２の記憶回路１７にも与える。第２のデータ記憶回路１７は与えられた音楽タイトルに対応した音楽データを出力し、音楽出力回路８に与える。
【００５８】
本実施の形態における第２のデータ記憶回路１７は、送信された音楽データを楽曲単位又はその一部で記憶するとした。この場合、受聴者が送信を依頼した楽曲を一旦第２のデータ記憶回路１７に記録し、都合の良い時間帯にオフラインでそれらを再生することもできる。記録装置Ｒ１と再生装置Ｐ４とを結合する伝送媒体のデータ転送レートが、楽曲の再生時のデータ処理レートより高い場合、楽曲のリアルタイム再生は困難となる。この場合は第２のデータ記憶回路１７を音楽データのデータバッファとして用いることができる。
【００５９】
本実施の形態によれば、音楽の受聴者は携帯用の再生装置から聴きたい音楽タイトルを送信するだけで、場所や時間並びにディバイスの記録容量に限定されることなく、希望の音楽を聴くことができる。また受聴者が受聴する予定の楽曲の音楽データを予め受信し、第２の記憶回路１７に記憶しておくことができる。この方法によれば、伝送媒体のデータ転送レートが、楽曲の再生時のデータ処理レートより高い場合でも、所望の楽曲を聴きたい時間に受聴することができる。
【００６０】
（実施の形態５）
図５は本発明の実施の形態５における音楽再生システムの構成図である。なお、図１に示される構成要素と同一の構成要素には同一の参照番号を付し、それらの説明は省略する。この音楽再生システムは記録装置Ｒ５と再生装置Ｐ１とにより構成される。記録装置Ｒ５は第１のデータ記憶回路２、編集回路１８、情報書き込み回路３ｃ、情報記録器４、選択回路５、データ出力回路６、制御データ取得回路１１、第１の制御回路１２を含んで構成される。また再生装置Ｐ１は図１に示すものと同様に、情報記録器４、データ取得回路７、音楽出力回路８、第２の制御回路９、制御データ出力回路１０を含んで構成される。
【００６１】
記録装置Ｒ５における編集回路１８は、第１のデータ記憶回路２に記憶されている複数の音楽データの記憶位置や音楽タイトルなどを編集する編集手段である。
【００６２】
次に本実施の形態における音楽再生システムの動作例について説明する。第１のデータ記憶回路２には複数の音楽データ及び音楽タイトルが記憶されている。編集回路１８はこれらの音楽データの記憶位置や音楽タイトル名を編集する。また編集回路１８は、情報記録器４に書込まれる音楽タイトルの順序を更新したり、不要な楽曲の音楽データを削除することもできる。これにより、再生される楽曲の記録位置を変更することができる。これ以外の各ブロックの動作は実施の形態１と同一であるため、説明を省略する。
【００６３】
本実施の形態によれば、音楽の受聴者は、携帯用の再生装置から聴きたい音楽タイトルを送信するだけで、場所や時間並びにディバイスの記録容量に限定されることなく、希望の音楽を聴くことができる。また利用者が一旦記録した第１のデータ記憶回路２の音楽データ及び音楽タイトルを編集することができる。このため、音楽ソースから入力した複数の楽曲の音楽情報のうち、不要な楽曲を削除したり、その出力順序を変更することができる。
【００６４】
（実施の形態６）
図６は本発明の実施の形態６における音楽再生システムの構成図である。なお、図１に示される構成要素と同一の構成要素には同一の参照番号を付し、それらの説明は省略する。この音楽再生システムは記録装置Ｒ６と再生装置Ｐ６とにより構成される。記録装置Ｒ６は第１のデータ記憶回路２、情報書き込み回路３、情報記録器４ｂ、選択回路５、データ出力回路６、制御データ取得回路１１ａ、第１の制御回路１２を含んで構成される。また再生装置Ｐ６は、情報記録器４ｂ、データ取得回路７、音楽出力回路８、第２の制御回路９ｃ、制御データ出力回路１０ａを含んで構成される。
【００６５】
記録装置Ｒ６における制御データ取得回路１１ａは、セキュリティー情報（以下、パスワードという）を受け取らなければ、それ以降の制御を行わない制御データ取得手段である。情報記録器４ｂは第１のデータ記憶回路２に記憶された楽曲の音楽タイトルと、制御データ取得回路１１ａに与えるパスワードとを記憶する情報記録手段である。
【００６６】
再生装置Ｐ６における第２の制御回路９ｃは、受聴者の指示に基づき情報記録器４ｂに記憶されているパスワード及び音楽タイトルを読み出し、これらを制御データとして制御データ出力回路１０ａに与える第２の制御手段である。制御データ出力回路１０ａは有線又は無線でパスワード及び音楽タイトルを外部に送信する制御データ出力手段である。
【００６７】
このような構成の記録装置Ｒ６は例えば家庭に設置される装置とし、再生装置Ｐ６は携帯される装置、又は車載される装置とする。
【００６８】
次に本実施の形態における音楽再生システムの動作例について説明する。着脱可能な情報記録器４ｂには、制御データ取得回路１１ａを制御するためのパスワードと音楽タイトルが記憶される。情報記録器４ｂが記録装置Ｒ６から取り外され、異なる場所に位置する再生装置Ｐ６に取り付けられたとする。第２の制御回路９ｃは受聴者の指示に基づき情報記録器４ｂからパスワード及び音楽タイトルを読み出す。制御データ出力回路１０ａはこのパスワード及び音楽タイトルを有線又は無線で外部に出力する。このパスワード及び音楽タイトルは記録装置Ｒ６内の制御データ取得回路１１ａで受信される。制御データ取得回路１１ａはこのパスワードをチェックし、認知されたパスワードである場合に音楽データの出力を許可する。この場合、制御データ取得回路１１ａは受け取った音楽タイトルを有する楽曲の音楽データを抽出するよう第１の制御回路１２に指示を出す。第１の制御回路１２は選択回路５を制御し、第１のデータ記憶回路２から所望の音楽データを出力させる。また、制御データ取得回路１１ａは、受け取ったパスワードが所定のパスワードと異なる場合は音楽データの出力を許可しない。
【００６９】
本実施の形態によれば、音楽の受聴者は、携帯用の再生装置から聴きたい音楽タイトルを送信するだけで、場所や時間並びにディバイスの記録容量に限定されることなく、希望の音楽を聴くことができる。また再生装置から記録装置に対し、データ伝送媒体を介して音楽データをアクセスするに際し、一般にその都度パスワードを入力する必要がある。しかし、本実施の形態では、再生装置側の情報記録器４ｂにパスワードが記録されているので、音楽データのアクセス毎にパスワードを自動送信することができる。
【００７０】
（実施の形態７）
図７は本発明の実施の形態７における音楽再生システムの構成図である。なお、図１に示される構成要素と同一の構成要素には同一の参照番号を付し、それらの説明は省略する。この音楽再生システムは、記録装置Ｒ１と再生装置Ｐ７とにより構成される。記録装置Ｒ１は実施の形態１と同様に、第１のデータ記憶回路２、情報書き込み回路３、情報記録器４、選択回路５、データ出力回路６、制御データ取得回路１１、第１の制御回路１２を含んで構成される。また再生装置Ｐ７は、情報記録器４、データ取得回路７、音楽出力回路８、第２の制御回路９、加工回路１９、制御データ出力回路１０を含んで構成される。
【００７１】
再生装置Ｐ７における加工回路１９は、第２の制御回路９により読み出した音楽タイトルの出力タイミングを制御し、制御データ出力回路１０を介してそれらのデータを外部へ出力する加工手段である。
【００７２】
このような構成の記録装置Ｒ７は例えば家庭に設置される装置とし、再生装置Ｐ７は携帯される装置、又は車載される装置とする。
【００７３】
次に本実施の形態における音楽再生システムの動作例について説明する。第２の制御回路９は情報記録器４から音楽タイトルを読み出す。加工回路１９は、読み出した音楽タイトルを受け取り、受聴者の指示に基づき、音楽タイトルを外部に出力する時間を設定し、そのデータを制御データ出力回路１０に与える。例えば、Ａという音楽タイトルを出力した後、３分後にＢという音楽タイトルを出力し、その２分後にＣという音楽タイトルを出力するという具合である。音楽タイトルとその出力時間とは、受聴者のキー入力などにより編集可能とする。
【００７４】
本実施の形態によれば、音楽の受聴者は、携帯用の再生装置から聴きたい音楽タイトルを送信するだけで、場所や時間並びにディバイスの記録容量に限定されることなく、希望の音楽を聴くことができる。また再生装置に加工回路を設けることにより、受聴者がリクエストした楽曲を、好みの時間帯で自動再生することができる。
【００７５】
（実施の形態８）
図８は本発明の実施の形態８における音楽再生システムの構成図である。なお、図１に示される構成要素と同一の構成要素には同一の参照番号を付し、それらの説明は省略する。この音楽再生システムは、記録装置Ｒ８と再生装置Ｐ８とにより構成される。記録装置Ｒ８は、第１のデータ記憶回路２ａ、情報書き込み回路３ｄ、情報記録器４ｃ、選択回路５、データ出力回路６、制御データ取得回路１１、第１の制御回路１２を含んで構成される。また再生装置Ｐ８は、情報記録器４ｃ、データ取得回路７、音楽出力回路８ａ、第２の制御回路９ｄ、制御データ出力回路１０を含んで構成される。
【００７６】
情報書き込み回路３ｄは、第１の記憶回路２ａに記憶された音楽タイトルと音楽データの一部を情報記録器４ｃに書き込む情報書き込み手段である。第２の制御回路９ｄは、情報記録器４ｃより音楽タイトルと音楽データを読み出す第２の制御手段である。読み出された音楽タイトルを含む制御データは制御データ出力回路１０により外部に有線又は無線で出力される。また情報記録器４ｃから読み出された音楽データは音楽出力回路８ａに出力される。音楽出力回路８ａは第２の制御回路９ｄから受け取った音楽データと、データ取得回路７を介して後から受け取った音楽データとをマージ（融合）して、元の音楽データに直し、外部に音として出力する音楽出力手段である。
【００７７】
このような構成の記録装置Ｒ８は例えば家庭に設置される装置とし、再生装置Ｐ８は携帯される装置、又は車載される装置とする。
【００７８】
次に本実施の形態における音楽再生システムの動作例について説明する。音楽データと音楽タイトルとが端子１を介して入力されると、それらの情報が第１のデータ記憶回路２ａに記憶される。また、第１のデータ記憶回路２ａに記憶された音楽情報のうち、一部の音楽データ及びその音楽タイトルが情報書き込み回路３ｄにより情報記録器４ｃに書込まれる。着脱可能な情報記録器４ｃが記録装置Ｒ８から取り外されて、異なる場所にある再生装置Ｐ８に取り付けられたとする。
【００７９】
受聴者の指示に基づいて、第２の制御回路９ｄにより、情報記録器４ｃに記憶された音楽データと音楽タイトルとが読み出される。読み出された音楽タイトルは制御データ出力回路１０により外部に無線で出力される。また、第２の制御回路９ｄで読み出された音楽データは音楽出力回路８ａに出力される。
【００８０】
制御データ取得回路１１は音楽タイトルを受け取ると、第１の制御回路１２より選択回路５を制御する。選択回路５は第１のデータ記憶回路２ａから指定された音楽の残りの音楽データを選択し、データ出力回路６に与える。データ出力回路６は外部に有線又は無線で音楽データを出力する。
【００８１】
データ取得回路７は外部より残りの音楽データを取得する。音楽出力回路８ａはデータ取得回路７及び第２の制御回路９ｄより受け取った音楽データをマージし、一つの元の音楽データに直して音として出力する。
【００８２】
本実施の形態によれば、音楽の受聴者は、携帯用の再生装置から聴きたい音楽タイトルを送信するだけで、場所や時間並びにディバイスの記録容量に限定されることなく、希望の音楽を聴くことができる。また一部の音楽データを情報記録器に記録することにより、選曲された音楽の頭出し部分をオフラインで受聴できる。また選曲された音楽の続き部分をオンラインで得ることにより、演奏時間の長い音楽を、限られたデータ転送レートの伝送媒体を介して聴くことができる。
【００８３】
（実施の形態９）
図９は本発明の実施の形態９における音楽再生システムの構成図である。なお、図３に示される音楽再生システムの構成要素と同一の構成要素には同一の参照番号を付し、それらの説明は省略する。この音楽再生システムは、記録装置Ｒ９と再生装置Ｐ９とにより構成される。記録装置Ｒ９は、音楽再生器１５、情報書き込み回路３ｂ、情報記録器４、符号化回路２０、データ出力回路６、制御データ取得回路１１、第１の制御回路１２ａ、音楽選択回路１６を含んで構成される。また再生装置Ｐ９は、情報記録器４、データ取得回路７、復号回路２１、音楽出力回路８、第２の制御回路９、制御データ出力回路１０を含んで構成される。
【００８４】
記録装置Ｒ９における音楽再生器１５は、複数のＣＤ等を有し、多数の楽曲（アルバム）から所望の楽曲を選曲して再生する再生手段である。情報書き込み回路３ｂは、音楽再生器１５のＣＤに記録された楽曲の音楽タイトルを情報記録器４に書き込む情報書き込み手段である。音楽選択回路１６は、音楽再生器１５で再生すべき楽曲を選択する音楽選択手段である。符号化回路２０は、音楽再生器１５から出力された音楽データを所定の符号化方式で圧縮符号化する符号化手段である。データ出力回路６は、符号化回路２０から出力された符号化音楽データを、有線又は無線で外部に出力するデータ出力手段である。第１の制御回路１２ａは、制御データ取得回路１１により取得された制御データに基づいて、所定の指示を第１の制御回路１２ａに与える第１の制御手段である。
【００８５】
再生装置Ｐ９における第２の制御回路９は、受聴者の指示に基づき、情報記録器４に記憶された音楽タイトルの情報を制御データ出力回路１０に与える第２の制御手段である。復号回路２１はデータ取得回路７から出力された符号化音楽データを所定の符号化方式に従って復号し、ＰＣＭの音楽データを音楽出力回路８に出力する復号手段である。
【００８６】
このような構成の記録装置Ｒ９は例えば家庭に設置される装置とし、再生装置Ｐ９は携帯される装置、又は車載される装置とする。
【００８７】
次に本実施の形態における音楽再生システムの動作例について説明する。音楽再生器１５により再生されたＰＣＭの音楽データは符号化回路２０に入力される。符号化回路２０は、入力された音楽データのデータ量を圧縮するために所定の符号化方式で符号化を行う。ここで圧縮された符号化音楽データはデータ出力回路６により有線又は無線で外部に出力される。
【００８８】
外部に出力された符号化音楽データはデータ取得回路７により取得され、復号回路２１に入力される。復号回路２１は復号処理を行い、圧縮された音楽データを元の音楽データに戻す。ここで復号された音楽データは音楽出力回路８により音として出力される。
【００８９】
本実施の形態によれば、音楽の受聴者は、携帯用の再生装置から聴きたい音楽タイトルを送信するだけで、場所や時間並びにディバイスの記録容量に限定されることなく、希望の音楽を聴くことができる。また音楽再生器から出力される音楽データを圧縮符号化することにより、ＰＣＭで記録された音楽データのデータ量を大幅に削減することができる。更に記録装置と再生装置間のデータ伝送を行う伝送媒体において、そのデータ転送レートが音楽データのビットレートより低い場合でも、符号化によりデータを圧縮することにより、音楽データのリアルタイム再生が可能となる。
【００９０】
以上の実施の形態１〜９において、無線で外部にデータを出力するとしたが、ケーブルなどの有線を用いてデータを出力しても良い。また、夫々の手段を回路という表現を用いて説明したが、これらをソフトウェアのみ又はハードウェアとソフトウェアの混在で実現することも可能である。又これらの実施の形態を適宜組み合わせて音楽再生システムを構成することができる。
【００９１】
【発明の効果】
請求項１記載の基本構成を有する音楽再生システムによれば、音楽データを再生装置側の記録再生媒体に記録することなく、場所や時間及び記録再生媒体のデータ容量に限定されることなく、受聴者の要望に基づいて再生装置で音楽を聴くことができる。
【００９２】
また、上記の音楽再生システムに符号化手段及び復号化手段を更に設けたにより、音楽データを再生装置側の記録再生媒体に記録することなく、場所や時間及び記録再生媒体のデータ容量に限定されることなく、携帯型の再生装置で音楽を聴くことができる。また受聴者が受聴する予定の楽曲のみを限定して受聴者自身が送信側で多数曲記録できるので、携帯用の再生装置における選曲範囲が大幅に増加できる。更に記録装置と再生装置間のデータ伝送を行う伝送媒体において、そのデータ転送レートが音楽データのビットレートより低い場合でも、符号化によりデータを圧縮することにより、音楽データをリアルタイムで伝送できる。
【００９３】
また、第１のデータ記憶手段に代えて、音楽再生手段を音楽再生システムに設けたことにより、場所や時間及び記録再生媒体のデータ容量に限定されることなく、携帯型の再生装置で音楽を聴くことができる。また受聴者が受聴する予定の楽曲が記録された記録媒体を、音楽再生手段にセットすることにより、携帯用の再生装置での選曲範囲が大幅に拡大される。
【図面の簡単な説明】
【図１】本発明の実施の形態１における音楽再生システムの構成図である。
【図２】本発明の実施の形態２における音楽再生システムの構成図である。
【図３】本発明の実施の形態３における音楽再生システムの構成図である。
【図４】本発明の実施の形態４における音楽再生システムの構成図である。
【図５】本発明の実施の形態５における音楽再生システムの構成図である。
【図６】本発明の実施の形態６における音楽再生システムの構成図である。
【図７】本発明の実施の形態７における音楽再生システムの構成図である。
【図８】本発明の実施の形態８における音楽再生システムの構成図である。
【図９】本発明の実施の形態９における音楽再生システムの構成図である。
【符号の説明】
Ｒ１，Ｒ２，Ｒ３，Ｒ５，Ｒ６，Ｒ８，Ｒ９  記録装置
Ｐ１，Ｐ２，Ｐ３，Ｐ４，Ｐ６，Ｐ７，Ｐ８，Ｐ９  再生装置
１  端子
２，２ａ  第１のデータ記憶回路
３，３ａ，３ｂ，３ｃ，３ｄ  情報書き込み回路
４，４ａ，４ｂ，４ｃ  情報記録器
５  選択回路
６  データ出力回路
７  データ取得回路
８，８ａ  音楽出力回路
９，９ａ，９ｂ，９ｃ，９ｄ  第２の制御回路
１０，１０ａ  制御データ出力回路
１１，１１ａ  制御データ取得回路
１２，１２ａ  第１の制御回路
１５  音楽再生器
１６  音楽選択回路
１７  第２のデータ記憶回路
１８  編集回路
１９  加工回路
２０  符号化回路
２１  復号化回路
【図１】
0004399090.tif 000002
【図２】
0004399090.tif 000003
【図３】
0004399090.tif 000004
【図４】
0004399090.tif 000005
【図５】
0004399090.tif 000006
【図６】
0004399090.tif 000007
【図７】
0004399090.tif 000008
【図８】
0004399090.tif 000009
【図９】
0004399090.tif 000010